(57)【要約】【課題】高周波信号の伝送特性を向上することができる電気コネクタを提供する。【解決手段】電気コネクタ１は、貫通孔１０ａの配列が形成された絶縁性のハウジング１０と、貫通孔１０ａに挿入された棒状端子と嵌合可能に構成され、貫通孔１０ａの他端から突出して回路基板２の電極と接続可能に構成された導電性の複数のコンタクト１１と、を備える。コンタクト１１には、貫通孔１０ａ内でハウジング１０に係止される板状部と、貫通孔１０ａに挿入された棒状端子と嵌合して接触する嵌合部と、が設けられている。複数のコンタクト１１は、信号を伝送するシグナル用コンタクト１１Ａか、接地されるグランド用コンタクト１１Ｂのいずれかであり、シグナル用コンタクト１１Ａとグランド用コンタクト１１Ｂとで、棒状端子の挿入方向に関する嵌合部の位置が異なっている。【選択図】図１
2019139940.tif 000002
【特許請求の範囲】
【請求項１】
一端から相手コネクタの棒状端子をそれぞれ挿入可能な貫通孔の配列が形成された絶縁性のハウジングと、
前記貫通孔内で前記ハウジングに固定され、前記貫通孔に挿入された前記棒状端子と嵌合可能に構成され、前記貫通孔の他端から突出して回路基板の電極と接続可能に構成された導電性の複数のコンタクトと、
を備え、
前記コンタクトには、前記貫通孔の貫通方向に延びるとともに前記貫通孔内で前記ハウジングに係止される板状部と、前記貫通孔に挿入された前記棒状端子と嵌合して接触する嵌合部と、が設けられ、
前記複数のコンタクトは、信号を伝送するシグナル用コンタクトか、接地されるグランド用コンタクトのいずれかであり、
前記シグナル用コンタクトと前記グランド用コンタクトとで、前記棒状端子の挿入方向に関する前記嵌合部の位置が異なっている、
電気コネクタ。
【請求項２】
前記嵌合部は、
弾性力を有し、前記棒状端子が間に挿入されることにより広がって前記棒状端子を把持する一対の接続片で構成され、
前記一対の接続片には、
前記棒状端子が通過する間隔が最も狭くなるように構成され、前記棒状端子と接触する接点部と、
前記接点部に連結され、前記棒状端子が通過する間隔が前記接点部から離れるにつれて広がっていくように形成された案内部と、
が設けられている、
請求項１に記載の電気コネクタ。
【請求項３】
前記シグナル用コンタクトと前記グランド用コンタクトとで、前記棒状端子の挿入方向に関する前記接点部の位置が一致している、
請求項２に記載の電気コネクタ。
【請求項４】
前記コンタクトには、前記板状部と前記嵌合部とを連結する基端部が設けられ、
前記シグナル用コンタクト及び前記グランド用コンタクトとで、前記棒状端子の挿入方向に関する前記基端部の位置が異なっており、
前記棒状端子の挿入方向に関して前記接点部の位置が一致している、
請求項２に記載の電気コネクタ。
【請求項５】
前記シグナル用コンタクトと前記グランド用コンタクトとで、前記嵌合部の形状は同一であり、互いに挿入方向に逆向きとなっている、
請求項１から４のいずれか一項に記載の電気コネクタ。
【請求項６】
前記シグナル用コンタクトの前記嵌合部が、前記グランド用コンタクトの前記嵌合部よりも前記棒状端子が挿入される側に位置している、
請求項１から５のいずれか一項に記載の電気コネクタ。
【請求項７】
前記グランド用コンタクトの前記嵌合部が、前記シグナル用コンタクトの前記嵌合部よりも前記棒状端子が挿入される側に位置している、
請求項１から５のいずれか一項に記載の電気コネクタ。
【発明の詳細な説明】
【技術分野】
【０００１】
本発明は、電気コネクタに関する。
【背景技術】
【０００２】
特許文献１には、回路基板に実装されるとともに相手コネクタと接続され、相手コネクタと回路基板との間で、複数の信号を伝送可能な電気コネクタが開示されている。
【先行技術文献】
【特許文献】
【０００３】
【特許文献１】特開２０１０−０９７７５９号公報
【発明の概要】
【発明が解決しようとする課題】
【０００４】
上記特許文献１に開示された電気コネクタは、例えばＨＤＤ（ハードディスクドライブ）内の信号の伝送にも用いられている。近年、ＨＤＤ内では、信号の高速化（高周波化）が進んでおり、電気コネクタについても高周波信号の伝送特性が良好なものが求められるようになってきている。
【０００５】
本発明は、上記実情に鑑みてなされたものであり、高周波信号の伝送特性を向上することができる電気コネクタを提供することを目的とする。
【課題を解決するための手段】
【０００６】
上記目的を達成するために、本発明に係る電気コネクタは、
一端から相手コネクタの棒状端子をそれぞれ挿入可能な貫通孔の配列が形成された絶縁性のハウジングと、
前記貫通孔内で前記ハウジングに固定され、前記貫通孔に挿入された前記棒状端子と嵌合可能に構成され、前記貫通孔の他端から突出して回路基板の電極と接続可能に構成された導電性の複数のコンタクトと、
を備え、
前記コンタクトには、前記貫通孔の貫通方向に延びるとともに前記貫通孔内で前記ハウジングに係止される板状部と、前記貫通孔に挿入された前記棒状端子と嵌合して接触する嵌合部と、が設けられ、
前記複数のコンタクトは、信号を伝送するシグナル用コンタクトか、接地されるグランド用コンタクトのいずれかであり、
前記シグナル用コンタクトと前記グランド用コンタクトとで、前記棒状端子の挿入方向に関する前記嵌合部の位置が異なっている。
【０００７】
この場合、前記嵌合部は、
弾性力を有し、前記棒状端子が間に挿入されることにより広がって前記棒状端子を把持する一対の接続片で構成され、
前記一対の接続片には、
前記棒状端子が通過する間隔が最も狭くなるように構成され、前記棒状端子と接触する接点部と、
前記接点部に連結され、前記棒状端子が通過する間隔が前記接点部から離れるにつれて広がっていくように形成された案内部と、
が設けられている、
こととしてもよい。
【０００８】
また、前記シグナル用コンタクトと前記グランド用コンタクトとで、前記棒状端子の挿入方向に関する前記接点部の位置が一致している、
こととしてもよい。
【０００９】
前記コンタクトには、前記板状部と前記嵌合部とを連結する基端部が設けられ、
前記シグナル用コンタクト及び前記グランド用コンタクトとで、前記棒状端子の挿入方向に関する前記基端部の位置が異なっており、
前記棒状端子の挿入方向に関して前記接点部の位置が一致している、
こととしてもよい。
【００１０】
前記シグナル用コンタクトと前記グランド用コンタクトとで、前記嵌合部の形状は同一であり、互いに挿入方向に逆向きとなっている、
こととしてもよい。
【００１１】
前記シグナル用コンタクトの前記嵌合部が、前記グランド用コンタクトの前記嵌合部よりも前記棒状端子が挿入される側に位置している、
こととしてもよい。
【００１２】
前記グランド用コンタクトの前記嵌合部が、前記シグナル用コンタクトの前記嵌合部よりも前記棒状端子が挿入される側に位置している、
こととしてもよい。
【発明の効果】
【００１３】
本発明によれば、相手コネクタの棒状端子の挿入方向に関して、シグナル用コンタクトの嵌合部とグランド用コンタクトの嵌合部との位置をずらす。このようにすれば、シグナル用コンタクトの嵌合部とグランド用コンタクトの嵌合部との間隔を、シグナル用コンタクト同士の嵌合部の間隔よりも広げることができる。これにより、信号の伝送線路の特性インピーダンスの低下を防ぐことができる。この結果、高周波信号の伝送特性を良好なものとすることができる。
【図面の簡単な説明】
【００１４】
【図１】図１（Ａ）は、本発明の実施の形態に係る電気コネクタの斜視図である。図１（Ｂ）は、電気コネクタの上面図である。図１（Ｃ）は、図１（Ｂ）のＡ−Ａ断面図である。
【図２】図２（Ａ）は、シグナル用コンタクトの斜視図である。図２（Ｂ）は、グランド用コンタクトの斜視図である。
【図３】図３（Ａ）は、シグナル用コンタクトの上面図である。図３（Ｂ）は、グランド用コンタクトの上面図である。
【図４】図４（Ａ）は、シグナル用コンタクトの正面図である。図４（Ｂ）は、グランド用コンタクトの正面図である。
【図５】シグナル用コンタクトとグランド用コンタクトとの嵌合部の位置を比較する図である。
【図６】図６（Ａ）は、相手コネクタとしての中継コネクタの斜視図である。図６（Ｂ）は、中継コネクタの上面図である。図６（Ｃ）は、図６（Ｂ）のＢ−Ｂ断面図である。
【図７】図７（Ａ）は、図１（Ａ）の電気コネクタと図６（Ａ）の相手コネクタとを接続した状態を示す斜視図である。図７（Ｂ）は、回路基板に実装された図１（Ａ）の電気コネクタ及び図６（Ａ）の相手コネクタを接続して回路基板間の信号の伝送を可能にした構成を示す側面図である。
【図８】図８（Ａ）は、図１（Ａ）の電気コネクタ及び図６（Ａ）の相手コネクタを接続した状態を示す上面図である。図８（Ｂ）は、図８（Ａ）のＣ−Ｃ断面図である。
【図９】図８（Ｂ）の一部拡大図である。
【図１０】図１０（Ａ）は、シグナル用コンタクトの変形例その１の斜視図である。図１０（Ｂ）は、グランド用コンタクトの変形例その１の斜視図である。
【図１１】図１１（Ａ）は、シグナル用コンタクトの変形例その２の斜視図である。図１１（Ｂ）は、グランド用コンタクトの変形例その２の斜視図である。
【発明を実施するための形態】
【００１５】
以下、本発明の実施の形態について図面を参照して詳細に説明する。全図において、同一又は相当する構成要素には、同一の符号が付されている。
【００１６】
図１（Ａ）に示すように、電気コネクタ１は、回路基板２に実装され、相手コネクタとしての中継コネクタ３（図６（Ａ）、図７（Ａ）参照）と接続するコネクタである。電気コネクタ１は、回路基板２と中継コネクタ３との間で、高周波の差動信号を伝送する。電気コネクタ１は、例えば樹脂で構成される絶縁性のハウジング１０と、例えば金属で構成される導電性の複数のコンタクト１１を備えている。
【００１７】
ハウジング１０は、直方体状の筐体である。ハウジング１０には、貫通孔１０ａの配列が形成されている。貫通孔１０ａは、回路基板２に実装された状態で、回路基板２に対向する面と、その反対側の面との間でハウジング１０を貫通している。貫通孔１０ａの大きさは均一であり、回路基板２に対向する面の反対側の面の一端から中継コネクタ３の棒状端子２１（図６（Ａ）参照）をそれぞれ挿入可能となっている。本実施の形態では、貫通孔１０ａの貫通方向が、中継コネクタ３の棒状端子２１の挿入方向（ｚ軸方向）となっている。
【００１８】
本実施の形態では、貫通孔１０ａは、ハウジング１０の長手方向（ｘ軸方向）に１３個配列されており、貫通孔１０ａの配列は、ハウジング１０の長手方向に直交する方向（ｙ軸方向）に２列設けられている。すなわち、貫通孔１０ａの配列は、１３×２の配列となっている。この配列において、隣接する貫通孔１０ａの間隔は均一である。
【００１９】
コンタクト１１は、図１（Ｂ）のＡ−Ａ断面である図１（Ｃ）に示すように、それぞれ貫通孔１０ａ内に挿入され、貫通孔１０ａ内でハウジング１０に固定される。貫通孔１０ａが計２６個（１３×２）であるため、コンタクト１１の数も２６個（１３×２）となる。コンタクト１１は、貫通孔１０ａに挿入された中継コネクタ３の棒状端子２１と嵌合可能に構成される。
【００２０】
さらに、コンタクト１１の一端は、貫通孔１０ａの他端（回路基板２に対向する面側の端部）から突出して、回路基板２の実装面に沿って折れ曲がっている。コンタクト１１の折れ曲がった部分が、回路基板２の電極と接続される。
【００２１】
複数のコンタクト１１は、信号を伝送するシグナル用コンタクト１１Ａ（図２（Ａ）参照）か、接地されるグランド用コンタクト１１Ｂ（図２（Ｂ）参照）のいずれかである。コンタクト１１（１１Ａ，１１Ｂ）には、板状部１１ａと、嵌合部１１ｂと、基端部１１ｃと、が設けられている。
【００２２】
板状部１１ａは、貫通孔１０ａに挿入されたときに貫通孔１０ａの貫通方向に延びた直線状の部分である（図２（Ａ）及び図２（Ｂ）参照）。嵌合部１１ｂは、貫通孔１０ａに挿入された中継コネクタ３の棒状端子２１と嵌合して接触する（図８（Ｂ）参照）。基端部１１ｃは、板状部１１ａと嵌合部１１ｂとを連結する。
【００２３】
板状部１１ａの構成について、より詳細に説明する。図２（Ａ）及び図２（Ｂ）に示すように、貫通孔１０ａから突出した板状部１１ａの一端は折れ曲がっており、この折れ曲がった部分が、回路基板２の電極と接続する基板接続部１１ａａとなっている。コンタクト１１は、図１（Ａ）及び図１（Ｃ）に示すように、基板接続部１１ａａがハウジング１０から突出した状態で、貫通孔１０ａに挿入されている。
【００２４】
また、板状部１１ａの中間部分には、他の部分より幅広の部分が設けられている。この幅広の部分が、貫通孔１０ａ内でハウジング１０に係止する係止部１１ａｂである。係止部１１ａｂの幅は、貫通孔１０ａ内にコンタクト１１（１１Ａ，１１Ｂ）を圧入して固定できる幅となっている。
【００２５】
次に、嵌合部１１ｂの構成について説明する。図２（Ａ）及び図２（Ｂ）に示すように、嵌合部１１ｂは、一対の接続片３０で構成されている。一対の接続片３０それぞれには、弾性力が付与されている。各接続片３０は、その中央に穴があけられているため弾性変形し易くなっている。
【００２６】
図３（Ａ）及び図３（Ｂ）に示すように、各接続片３０は、それぞれが基端部１１ｃを介して板状部１１ａに接続され、互いに対向した状態で配置されている。また、図４（Ａ）及び図４（Ｂ）に示すように、各接続片３０の間に中継コネクタ３（図６（Ａ）参照）の棒状端子２１が挿入される。棒状端子２１が挿入されると、一対の接続片３０は、外側に弾性変形しながら、棒状端子２１を把持する。
【００２７】
一対の接続片３０には、接点部３０ａと、案内部３０ｂ，３０ｃとが設けられている。この接点部３０ａにおいて、中継コネクタ３の棒状端子２１が通過する間隔が最も短くなっている。一対の接続片３０は、接点部３０ａ及びその周辺で、挿入された中継コネクタ３の棒状端子２１と接触する。
【００２８】
案内部３０ｂ，３０ｃは、図４（Ａ）及び図４（Ｂ）に示すように、接点部３０ａの紙面上下方向両側にそれぞれ連結され、紙面上下方向、すなわち中継コネクタ３の棒状端子２１の挿入方向に延びている。案内部３０ｂ，３０ｃは、中継コネクタ３の棒状端子２１が通過する間隔が接点部３０ａから離れるにつれて広がっていくように形成されている。案内部３０ｂは、基端部１１ｃを介して、板状部１１ａに連結されている。案内部３０ｃは、案内部３０ｂよりも小さく構成されている。案内部３０ｂ，３０ｃにおける各接続片３０の間の最大幅は、棒状端子２１の幅よりも若干大きくなっている。
【００２９】
図４（Ａ）に示すように、シグナル用コンタクト１１Ａでは、貫通孔１０ａに挿入された棒状端子２１が、案内部３０ｂに当接する。案内部３０ｂは棒状端子２１を案内しつつ外側に弾性変形する。これにより、棒状端子２１が接続片３０間に挿入され、シグナル用コンタクト１１Ａの嵌合部１１ｂが、棒状端子２１を把持する。
【００３０】
図４（Ｂ）に示すように、グランド用コンタクト１１Ｂでは、貫通孔１０ａに挿入された棒状端子２１が、案内部３０ｃに当接する。案内部３０ｃが棒状端子２１を案内しつつ外側に弾性変形する。これにより、棒状端子２１が接続片３０間に挿入され、グランド用コンタクト１１Ｂの嵌合部１１ｂが、棒状端子２１を把持する。
【００３１】
本実施の形態では、シグナル用コンタクト１１Ａとグランド用コンタクト１１Ｂとでは、中継コネクタ３の棒状端子２１の挿入方向に関する嵌合部１１ｂの位置が異なっている。ここで、仮に、グランド用コンタクト１１Ｂの嵌合部１１ｂの位置をシグナル用コンタクト１１Ａの嵌合部１１ｂの位置と同じとし、向きも同じとした場合には、シグナル用コンタクト１１Ａを基準とするグランド用コンタクト１１Ｂ（点線）の相対位置は、図５の点線で示される位置となる。この場合、シグナル用コンタクト１１Ａの嵌合部１１ｂとグランド用コンタクト１１Ｂの嵌合部１１ｂとの間隔は、Ｌ１となる。
【００３２】
これに対して、本実施の形態では、シグナル用コンタクト１１Ａを基準とするグランド用コンタクト１１Ｂの相対位置は図５の実線で示す位置となる。この場合、シグナル用コンタクト１１Ａの嵌合部１１ｂとグランド用コンタクト１１Ｂの嵌合部１１ｂとの間隔はＬ２となり、Ｌ１よりも長くなる。これにより、電気コネクタ１Ａでは、後述するように、信号の伝送線路の特性インピーダンスの低下を防ぐことが可能となる。
【００３３】
また、図２（Ａ）〜図５から明らかなように、シグナル用コンタクト１１Ａとグランド用コンタクト１１Ｂとでは、嵌合部１１ｂ（一対の接続片３０）の形状は同一であり、互いに挿入方向に対して逆向きとなっている。これにより、シグナル用コンタクト１１Ａとグランド用コンタクト１１Ｂとでは、形状が同じ嵌合部１１ｂにより棒状端子２１と嵌合することになるので、シグナル用コンタクト１１Ａ及びグランド用コンタクト１１Ｂと棒状端子２１との有効嵌合長を等しくすることができる。ここで、有効嵌合長とは、シグナル用コンタクト１１Ａ及びグランド用コンタクト１１Ｂが、棒状端子２１と実際に嵌合して接触する部分の長さである。
【００３４】
図１（Ｃ）に示すように、電気コネクタ１Ａでは、シグナル用コンタクト１１Ａは、一対のものが隣接して配置されている。この一対のシグナル用コンタクト１１Ａを用いて高周波の差動信号が伝送される。そして、隣接して配置された一対のシグナル用コンタクト１１Ａの両端に、グランド用コンタクト１１Ｂが１本ずつ配置されている。
【００３５】
ここで、シグナル用コンタクト１１ＡをＳとし、グランド用コンタクト１１ＢをＧとすると、１３個のコンタクト１１は、Ｇ−Ｓ−Ｓ−Ｇ−Ｓ−Ｓ−Ｇ−Ｓ−Ｓ−Ｇ−Ｓ−Ｓ−Ｇと配列される。このように、差動信号を伝送する一対のシグナル用コンタクト１１Ａの両端をグランド用コンタクト１１Ｂで挟み込むような順番で並べることにより、電気コネクタ１Ａでは、伝送される高周波の差動信号のクロストークを低減することが可能となる。
【００３６】
また、本実施の形態では、図５に示すように、シグナル用コンタクト１１Ａとグランド用コンタクト１１Ｂとで、中継コネクタ３の棒状端子２１の挿入方向に関する接点部３０ａの位置が一致している。これにより、シグナル用コンタクト１１Ａ及びグランド用コンタクト１１Ｂの棒状端子２１との接続位置を、シグナル用コンタクト１１Ａとグランド用コンタクト１１Ｂとを同じ形状にした場合、すなわち従来の場合の棒状端子２１との接続位置と一致させることができる。この結果、中継コネクタ３における信号の伝送経路の基本的構造を従来のままとすることができる。
【００３７】
次に、中継コネクタ３の構成について説明する。図６（Ａ）に示すように、中継コネクタ３は、例えば樹脂から構成される絶縁性のハウジング２０と、例えば金属から構成される導電性の複数の棒状端子２１と、を備える。ハウジング２０は、中継コネクタ３の筐体である。
【００３８】
図６（Ｂ）のＢ−Ｂ断面である図６（Ｃ）に示すように、中継コネクタ３では、複数の棒状端子２１の配列が形成されており、各棒状端子２１は、ハウジング２０を貫いて延びている。棒状端子２１の本数は２６本で、その配列は１３×２である。また、棒状端子２１の配置間隔は、電気コネクタ１の貫通孔１０ａの配置間隔と同じである。
【００３９】
図７（Ａ）に示すように、中継コネクタ３においてハウジング２０を貫く棒状端子２１には、その両端に、それぞれ電気コネクタ１が１つずつ嵌め込まれる。ここで、一方の電気コネクタ１を電気コネクタ１Ａとし、他方の電気コネクタ１を電気コネクタ１Ｂとする。図７（Ｂ）に示すように、電気コネクタ１Ａが上側の回路基板２（２Ａ）に実装され、電気コネクタ１Ｂが下側の回路基板２（２Ｂ）に実装されていた場合、中継コネクタ３と、電気コネクタ１Ａ，１Ｂとを接続することにより、回路基板２Ａと回路基板２Ｂとの間の高周波の差動信号の伝送が可能となる。
【００４０】
より具体的には、図８（Ａ）のＣ−Ｃ断面図である図８（Ｂ）に示すように、回路基板２Ａと回路基板２Ｂとの間の信号の伝送線路として、電気コネクタ１Ａのシグナル用コンタクト１１Ａ−中継コネクタ３の棒状端子２１−電気コネクタ１Ｂのシグナル用コンタクト１１Ａという伝送線路が形成される。さらに、回路基板２Ａと回路基板２Ｂとの間の接地線路として、電気コネクタ１Ａのグランド用コンタクト１１Ｂ−中継コネクタ３の棒状端子２１−電気コネクタ１Ｂのグランド用コンタクト１１Ｂという伝送線路が形成される。
【００４１】
図８（Ｂ）の一部を拡大した図９の拡大図に示すように、嵌合部１１ｂは、隣接するコンタクト１１同士において間隔が最も狭くなる部分である。したがって、信号の伝送特性を向上するためには、シグナル用コンタクト１１Ａ同士の嵌合部１１ｂの間隔に対してシグナル用コンタクト１１Ａの嵌合部１１ｂとグランド用コンタクト１１Ｂの嵌合部１１ｂとの間隔を広げるのが望ましい。
【００４２】
本実施の形態では、シグナル用コンタクト１１Ａの嵌合部１１ｂの位置と、グランド用コンタクト１１Ｂの嵌合部１１ｂの位置は、中継コネクタ３の棒状端子２１の挿入方向にずれている。これにより、図９に示すように、嵌合部１１ｂが棒状端子２１と嵌合していた場合でも、シグナル用コンタクト１１Ａ同士の嵌合部１１ｂの間隔に比べ、シグナル用コンタクト１１Ａの嵌合部１１ｂとグランド用コンタクト１１Ｂの嵌合部１１ｂとの間隔を広げることができる。この結果、信号の伝送線路の特性インピーダンスの低下を防ぐことができる。
【００４３】
また、図９に示すように、シグナル用コンタクト１１Ａとグランド用コンタクト１１Ｂとでは、中継コネクタ３の棒状端子２１の挿入方向に関する接点部３０ａの位置が一致している。これにより、従来の電気コネクタのように、コンタクト１１の形状が全て同じ従来のコネクタにおける棒状端子２１との接点の位置を変更しないようにして、信号の伝送線路の基本的構造を極力変更しないようにすることができる。
【００４４】
以上詳細に説明したように、本実施の形態によれば、中継コネクタ３の棒状端子２１の挿入方向に関して、シグナル用コンタクト１１Ａの嵌合部１１ｂとグランド用コンタクト１１Ｂの嵌合部１１ｂとの位置をずらす。このようにすれば、シグナル用コンタクト１１Ａの嵌合部１１ｂとグランド用コンタクト１１Ｂの嵌合部１１ｂとの間隔を、シグナル用コンタクト１１Ａ同士の嵌合部１１ｂの間隔よりも広げることができる。これにより、信号の伝送線路の特性インピーダンスの低下を防ぐことができる。この結果、高周波信号の伝送特性を良好なものとすることができる。
【００４５】
また、本実施の形態によれば、嵌合部１１ｂ（一対の接続片３０）は、接点部３０ａと案内部３０ｂ，３０ｃとが形成されている。これにより、中継コネクタ３の棒状端子２１を、案内部３０ｂ，３０ｃにより接点部３０ａにより案内して一対の接続片３０で容易に把持させることができる。
【００４６】
また、本実施の形態によれば、シグナル用コンタクト１１Ａとグランド用コンタクトと１１Ｂで、中継コネクタ３の棒状端子２１の挿入方向に関する接点部３０ａの位置が一致している。このようにすれば、信号用と接地用とでコンタクト１１の形状を同じとした従来の場合における棒状端子２１との接点の位置関係を維持することができるので、信号の伝送線路の基本的構造を極力変更しないようにすることができる。この結果、例えば、従来から整合していた入力インピーダンスと出力インピーダンスとのバランスを維持することができる。
【００４７】
もっとも、インピーダンスマッチングが維持できるのであれば、シグナル用コンタクト１１Ａとグランド用コンタクト１１Ｂとで、中継コネクタ３の棒状端子２１の挿入方向に関する接点部３０ａの位置を一致させる必要はない。シグナル用コンタクト１１Ａとグランド用コンタクト１１Ｂとで、接点部３０ａの位置は異なっていてもよい。
【００４８】
例えば、図１０（Ａ）及び図１０（Ｂ）に示すように、シグナル用コンタクト１１Ａ及びグランド用コンタクト１１Ｂに代えて、シグナル用コンタクト１１Ａ’及びグランド用コンタクト１１Ｂ’を用いるようにしてもよい。シグナル用コンタクト１１Ａ’とグランド用コンタクト１１Ｂ’では、嵌合部１１ｂ（一対の接続片３０）に代えて、嵌合部１１ｂ’（一対の接続片３０’）を有している点が、シグナル用コンタクト１１Ａとグランド用コンタクト１１Ｂと異なっている。一対の接続片３０’では、棒状端子２１の挿入方向に関して中央の部分に最も間隔の短い接点部が形成されており、その両側に案内部が形成されている。
【００４９】
シグナル用コンタクト１１Ａ’とグランド用コンタクト１１Ｂ’では、シグナル用コンタクト１１Ａとグランド用コンタクト１１Ｂと同様に、中継コネクタ３の棒状端子２１の挿入方向に関する基端部１１ｃの位置が異なっている。さらに、シグナル用コンタクト１１Ａ’とグランド用コンタクト１１Ｂ’では、中継コネクタ３の棒状端子２１の挿入方向に関して基端部１１ｃの位置と接点部３０ａの位置との両位置が同じである。このようにすれば、シグナル用コンタクト１１Ａ’とグランド用コンタクト１１Ｂ’との嵌合部１１ｂ’の間隔をより広げることができる。
【００５０】
また、シグナル用コンタクト１１Ａ’とグランド用コンタクト１１Ｂ’では、棒状端子２１の挿入方向に関する接点部３０ａの位置をすべてのコンタクト１１で合わせる必要がないので、その分棒状端子２１の挿入方向に関する嵌合部１１ｂ’のサイズを小さくすることができるので、コンタクト１１全体を短くすることができる。この結果、電気コネクタ１の低背化を実現することができる。
【００５１】
また、上記実施の形態によれば、シグナル用コンタクト１１Ａとグランド用コンタクト１１Ｂとで、嵌合部１１ｂの形状は同一であり、互いに逆向きとなっている。このようにすれば、シグナル用コンタクト１１Ａとグランド用コンタクト１１Ｂとで、中継コネクタ３のコンタクト１１の嵌合部１１ｂと棒状端子２１とを同じように接触させて、棒状端子２１との有効嵌合長を同じとすることができる。この結果、例えば、従来から整合していた入力インピーダンスと出力インピーダンスとのバランスを維持することができる。
【００５２】
なお、上記実施の形態では、シグナル用コンタクト１１Ａとグランド用コンタクト１１Ｂとで、互いの基端部１１ｃを基準とする嵌合部１１ｂの向きを、接点部３０ａの位置が揃うような向きとしたが、本発明はこれには限られない。図１１（Ａ）及び図１１（Ｂ）に示すように、基端部１１ｃを基準とする嵌合部１１ｂの向きを互いに離れる方向としたシグナル用コンタクト１１Ａ”とグランド用コンタクト１１Ｂ”をコンタクト１１”として採用するようにしてもよい。このようにすれば、シグナル用コンタクト１１Ａとグランド用コンタクト１１Ｂとの間において、嵌合部１１ｂの距離をさらに大きく広げることができる。
【００５３】
しかしながら、シグナル用コンタクト１１Ａとグランド用コンタクト１１Ｂとで、嵌合部１１ｂを互いに逆向きにした方が、電気コネクタ１の低背化には有利である。
【００５４】
また、本実施の形態によれば、シグナル用コンタクト１１Ａの嵌合部１１ｂが、グランド用コンタクト１１Ｂの嵌合部１１ｂよりも中継コネクタ３の棒状端子２１が挿入される側（＋ｚ側）に位置している。しかしながら、本発明はこれには限られない。グランド用コンタクト１１Ｂの嵌合部１１ｂが、シグナル用コンタクト１１Ａの嵌合部１１ｂよりも棒状端子２１が挿入される側（＋ｚ側）に位置するようにしてもよい。
【００５５】
また、一方の列の１３個のコンタクト１１については、シグナル用コンタクト１１Ａの嵌合部１１ｂが、グランド用コンタクト１１Ｂの嵌合部１１ｂよりも中継コネクタ３の棒状端子２１が挿入される側（＋ｚ側）に位置するようにし、他方の列の１３個のコンタクト１１については、グランド用コンタクト１１Ｂの嵌合部１１ｂが、シグナル用コンタクト１１Ａの嵌合部１１ｂよりも棒状端子２１が挿入される側（＋ｚ側）に位置するようにしてもよい。
【００５６】
なお、上記実施の形態によれば、コンタクト１１の配列を１３×２の配列としたが、本発明はこれには限られない。コンタクト１１の配列は、１３個のコンタクト１１が一列に配列されたものであってもよいし、３列以上に配列されたものであってもよい。また、Ｇ−Ｓ−Ｓ−Ｇの配列を有していれば、一列のコンタクト１１の個数は、４個でもよいし、それ以上（例えば７個、１０個、１６個、…）でもよい。
【００５７】
上記実施の形態では、シグナル用コンタクト１１Ａとグランド用コンタクト１１Ｂとで、中継コネクタ３の棒状端子２１の挿入方向に関して、基端部１１ｃの位置が異なるようにしたが、本発明はこれには限られない。中継コネクタ３の棒状端子２１の挿入方向に関して、基端部１１ｃの位置が同じであっても、シグナル用コンタクト１１Ａとグランド用コンタクト１１Ｂとで、嵌合部１１ｂの位置が異なっており、嵌合部１１ｂの間隔が長くなっていればよい。
【００５８】
また、上記実施の形態では、電気コネクタ１は、差動信号を伝送するものであったが、本発明はこれには限られない。シングルエンド信号を伝送する電気コネクタにも本発明を適用することができる。
【００５９】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００６０】
本発明は、例えば、回路基板と中継コネクタとの間で、高周波信号を伝送する電気コネクタに適用することができる。
【符号の説明】
【００６１】
１、１Ａ，１Ｂ  電気コネクタ、２，２Ａ，２Ｂ  回路基板、３  中継コネクタ（相手コネクタ）、１０  ハウジング、１０ａ  貫通孔、１１，１１’，１１”  コンタクト、１１Ａ，１１Ａ’，１１Ａ”  シグナル用コンタクト、１１Ｂ，１１Ｂ’，１１Ｂ”  グランド用コンタクト、１１ａ  板状部、１１ａａ  基板接続部、１１ａｂ  係止部、１１ｂ，１１ｂ’  嵌合部、１１ｃ  基端部、２０  ハウジング、２１  棒状端子、３０，３０’  接続片、３０ａ  接点部、３０ｂ，３０ｃ  案内部
【図１】
2019139940.tif 000003
【図２】
2019139940.tif 000004
【図３】
2019139940.tif 000005
【図４】
2019139940.tif 000006
【図５】
2019139940.tif 000007
【図６】
2019139940.tif 000008
【図７】
2019139940.tif 000009
【図８】
2019139940.tif 000010
【図９】
2019139940.tif 000011
【図１０】
2019139940.tif 000012
【図１１】
2019139940.tif 000013